(57)【要約】【課題】従来の技術では、その日の体調までも考慮して情報を提供しているとは言えず、健康管理システムとしては完全とは言えない【解決手段】電気通信回線を介して、ホストコンピュータと、ユーザーが所有する端末装置とが接続されているシステムにおいて、前記端末装置は、前記ユーザーが摂取した食事に関する食事情報及び前記ユーザーの身体情報を前記ホストコンピュータに送信し、前記ホストコンピュータは前記食事情報，前記身体情報及び前記身体情報に対応する時刻情報を元に健康改善に資する健康改善情報を前記端末装置へ送信する機能を有することを特徴とする総合健康管理システム。【効果】ユーザーの摂取栄養と時々刻々の身体状態とを考慮した上で、ユーザーに対して健康改善の指針を提示できる健康管理システムを提供することができる。【選択図】  図１
2004185250.tif 000002
【特許請求の範囲】
【請求項１】
電気通信回線を介して、ホストコンピュータと、ユーザーが所有する端末装置とが接続されているシステムにおいて、前記端末装置は、前記ユーザーが摂取した食事に関する食事情報及び前記ユーザーの身体情報を前記ホストコンピュータに送信し、前記ホストコンピュータは前記食事情報，前記身体情報及び前記身体情報に対応する時刻情報を元に健康改善に資する健康改善情報を前記端末装置へ送信する機能を有することを特徴とする総合健康管理システム。
【請求項２】
ユーザーが所有する端末装置から送信された、前記ユーザーが摂取した食事に関する食事情報及びユーザーの身体情報を電気通信回線を介して受信し、前記食事情報，前記身体情報及び前記身体情報に対応する時刻情報を元に健康改善に資する健康改善情報を前記端末装置へ送信する機能を有することを特徴とする総合健康管理ホストコンピュータ。
【請求項３】
ユーザーが摂取した食事に関する情報及び前記ユーザーの身体情報を電気通信回線を介してホストコンピュータに送信し、前記食事情報，前記身体情報及び前記身体情報に対応する時刻情報を元に、ユーザーに対して健康改善に資する健康改善情報を提供する前記ホストコンピュータから前記健康改善情報を受信する機能を有することを特徴とする総合健康管理端末装置。
【請求項４】
健康改善に資する健康改善情報を提供するホストコンピュータが、ユーザーが所有する端末装置から送信された、前記ユーザーが摂取した食事に関する食事情報及びユーザーの身体情報を電気通信回線を介して受信し、前記食事情報，前記身体情報及び前記身体情報に対応する時刻情報を元に前記健康改善情報を前記端末装置へ送信する総合健康管理方法。
【請求項５】
請求項１に記載の総合健康管理システムにおいて、前記身体情報はユーザーの身体に埋め込んだ身体情報測定器からの情報であり、前記端末装置は携帯端末であり、前記身体情報測定器からの情報を受信し、前記ホストコンピュータへ送信する機能を有することを特徴とする総合健康管理システム。
【発明の詳細な説明】
【０００１】
【発明の属する技術分野】
本発明はインターネットを介して、健康維持に有用な情報を提供する総合健康管理システム，ホストコンピュータ，端末装置及び方法に関する。
【０００２】
【従来の技術】
特開２００２−４１６６９号公報ではユーザーが摂取した食品の栄養情報をモバイル端末からインターネットを経由して食物データベースサーバーに送信することで栄養管理を行うシステムが公開されている。このシステムではユーザー毎に各栄養素の目標栄養素量が設定され、これと実際の摂取量を比較解析した結果から、過不足栄養素を補う食物，目標体重を達成するために行うべき運動情報など、摂取状況に応じた有効な情報が、食物データベースサーバー→インターネット→モバイル端末のルートで容易に得られる。
【０００３】
【特許文献１】
特開２００２−４１６６９号公報
【０００４】
【発明が解決しようとする課題】
上記公知例ではインターネット経由でデータベースへ集められるデータは各人の摂取した食物データのみであり、そのときの実際の身体情報（血圧，心拍数，血糖値など）は収集されない。その日の体調によっては摂取すべきでない食物もあるはずだが、上記公知例ではこの問題は解決できない。目標体重を達成するために行うべき運動情報についても同様で、その日の体調までも考慮して情報を提供しているとは言えず、健康管理システムとしては完全とは言えない。
【０００５】
【課題を解決するための手段】
上記課題を解決する為、電気通信回線を介して、ホストコンピュータと、ユーザーが所有する端末装置とが接続されているシステムにおいて、前記端末装置は、前記ユーザーが摂取した食事に関する食事情報及び前記ユーザーの身体情報を前記ホストコンピュータに送信し、前記ホストコンピュータは前記食事情報，前記身体情報及び前記身体情報に対応する時刻情報を元に健康改善に資する健康改善情報を前記端末装置へ送信する機能を有することを特徴とする総合健康管理システムとしたものである。
【０００６】
本発明では、ユーザーの摂取栄養と時々刻々の身体状態とを考慮した上でユーザーに対して健康改善の指針を提示できる健康管理システムを提供することを目的とする。
【０００７】
【発明の実施の形態】
本システムの構成例としては、主にユーザー側とホストコンピュータ側とで下記の機器類を備える。
【０００８】
ユーザー側は次の機器などを備える。ユーザー体内に埋め込まれ、心拍数，血糖値などの身体情報を測定できる機器。ユーザーの身体に随時装着でき、血圧など検出できる検査機器。ユーザーが摂取した食物情報の収集、および上記身体情報を上記１，２の機器より受け取り、これらのデータをまとめてインターネット経由でホストコンピュータへ送信するモバイル端末。
【０００９】
ホストコンピュータ側は次の機器などを備える。ユーザー個々の情報を管理する個別ユーザー管理データベース。（以下、「ＤＢ」なる表記でデータベースを表す。）現在までの医療研究、および多くのユーザーの身体情報から統計的に抽出したデータを管理する身体情報データ管理ＤＢ。各食材／食品のカロリー，栄養素などのデータを管理する食品ＤＢ。健康改善のためにユーザーに提供される情報を管理する提供情報ＤＢ。ユーザーから収集したデータを解析し、上記の各ＤＢに蓄積されたデータと比較／検討を行うことでユーザーにとって最適な情報を提供するためのデータ処理プログラム。
【００１０】
モバイル端末がインターネットを経由してユーザー情報をホストコンピュータへ送信し、ホストコンピュータが所定の処理を行い、適当な健康情報をモバイル端末へ送り返すことでシステム全体が所定の目的を達成する。
【００１１】
以下、本発明の実施形態を図面を使用して詳細に説明する。
【００１２】
図６は本発明を適用した場合のビジネスモデルの一例を示した図である。本モデルは個別ユーザー０５，システム運用者０１，外食産業０２，食料品店／食品メーカ０３，病院／医療法人０４からなる。図６内で実線は情報の流れを、破線は金の流れを示す。
【００１３】
システム運用者０１はインターネット経由で個別ユーザー０５から摂取した食物に関する情報、およびユーザーの身体情報を収集する（▲１▼）。収集した情報からユーザーの健康改善に資する情報を生成し、適当なタイミングでインターネット経由で個別ユーザー０５に送付する（▲２▼）。個別ユーザー０５へ送信する健康改善情報の中には外食産業０２や食料品店／食品メーカ０３が提供する商品の宣伝、または病院／医療法人０４の提供する医療サービスの宣伝が含まれており、これを広告情報として取り込んでおく（▲４▼）。なお、現在医療法人の宣伝／広告活動については医療法（昭和２３年法律第二百五号）により一定の規制があるが、広告内容は本法律に基づくものとし規制が緩和され次第内容の充実を図っていく。
【００１４】
これら情報の流れに対して、システム運用者０１は外食産業０２，食料品店／食品メーカ０３または病院／医療法人０４から、広告情報に対する広告料を受け取る（▲５▼）。広告はユーザーの時々刻々における体調に合わせてタイミングよく送信されるため、宣伝効果が高い。また個別ユーザー０５は健康改善情報を受け取る対価として情報料を払う（▲３▼）場合があるが、ビジネスが▲５▼のみで成り立つ場合は▲３▼を取る必要がない。この場合個別ユーザーが本サービスを受けようとするインセンティブが高まり、ユーザー人数が増加することで宣伝効果がさらに高まる。
【００１５】
また、個別ユーザー０５の身体情報解析について、身体情報を研究データとして病院／医療機関に提供して解析を依頼する、という形を取る場合がある（▲６▼，▲７▼）がこれはプライバシーの観点から個別ユーザー０５の事前許可を受けていることが必要である。
【００１６】
図１は本発明の基本システム構成図である。個別ユーザー１１０はモバイル端末１１１を持ち、これを利用して、摂取した食物１５０の情報，測定機器類１２０〜１２２により測定した時々刻々の身体情報をホストコンピュータ１３０へ送信し、ホストコンピュータ１３０からは生活改善情報を入手する。また、病院／医療機関１４０，食料品店１４１，外食産業１４２はホストコンピュータ１３０へ健康改善情報の一部を成す広告情報を前もって送信しておく。また、ホストコンピュータ１３０は病院／医療機関１４０，食料品店１４１，外食産業１４２へ、個別ユーザー１１０から入手した摂取食事情報，身体情報の解析を依頼することがある。これらのデータはＩＳＤＮなどの電話回線を含み、独立したＬＡＮ同士あるいはＬＡＮと他の事業者のネットワークをつなぐネットワークである広義のインターネット網１００を経由してやり取りされる。
【００１７】
なお、測定機器類１２ｎについて下記説明しておく。
【００１８】
１．機器１２０は簡易血圧計の例である。前面に操作ボタンと血圧値表示画面を備える。本体裏面に付いているベルトにて腕に巻きつけ、ボタンを押下して測定を行う。
【００１９】
２．機器１２１は簡易心拍数計の例である。近年の小型化技術により、人差し指を機器に挿入するだけで心拍数を算出することができる。
【００２０】
３．機器１２２は身体に埋め込む形式の血糖値計である。近赤外光を利用して膵臓近くの静脈内の血糖値を測定するもの等がある。
【００２１】
本例ではいずれの機器もモバイル端末１１１とＢｌｕｅＴｏｏｔｈ  などの無線媒体経由で測定値をモバイル端末１１１へ送り、さらにモバイル端末１１１からインターネット１００へ送出されることを想定しているが、各測定機器１２ｎから直接インターネット１００へデータを送出してもよい。
【００２２】
図２はホストコンピュータに蓄積されるＤＢ群とこれらの関係を示す図である。ホストコンピュータは実態としてはデータベースサーバー２０１とＷｅｂサーバー２０２から成っている。Ｗｅｂサーバ２０２はインターネット１００を経由してページ閲覧要求をうけると、データベースサーバー２０１へ要求を転送し、そこで処理されたデータをＷｅｂページ形式データフレーム（例えばＨＴＴＰ形式データフレーム）に加工してページ閲覧要求に対するレスポンスとして返送する。
【００２３】
データベースサーバー２０１はその内部に個別ユーザー管理ＤＢ２１１，食物ＤＢ２１２，身体情報データ管理ＤＢ２１３，提供情報ＤＢ２１４を持つ。
【００２４】
個別ユーザー管理ＤＢ２１１は個別ユーザー毎に下記データを保持している。
【００２５】
１．基本データ：氏名，年齢，性別，身長／体重，基本代謝量（毎日の生体活動において消費するカロリー量），既往症、特に測定する身体情報の種類（血糖値，ＧＰＴ値など）を記録している。これは本発明のシステムによるサービスを受ける際、最初に登録しておく。
【００２６】
２．日々データ：毎日，個別ユーザーから収集されるデータであり、食事情報と身体情報からなる。食事情報は摂取した食事の総カロリー，タンパク質，脂肪などの各種栄養素量からなっており、食事毎に日付／時間を付加して記録される。身体情報は心拍数，血圧，血糖値などであり、個人ユーザーの既往症，持病などにより適宜収集する情報の種類を定める。
【００２７】
３．目標差分値データ：前記日々データと健康維持の観点から望ましい理想データとの差分値である。この差分が所定の値以上になるとホストコンピュータはこれを判定して、健康改善のための情報を個別ユーザーへ送信する。なお、前記理想データは後述する身体情報管理ＤＢ内に存在しており、これと日々データとの差分を取る。
【００２８】
食物ＤＢ２１２は下記データ、およびプログラムを保持している。
【００２９】
１．登録済食事データ：主な食品会社，食料品販売店が発売している調理済み食材、および外食産業が提供している食事メニューまたは料理本に紹介された食事メニューの各々に付加したＩＤに対応する形式で各食品に含まれる栄養素を記録する。図２の例ではＡ食品が提供する調理済みエビピラフに対して、これが含有する総カロリー，タンパク質，脂肪，食物繊維，ビタミン類，ミネラル類などの各量を記録している。本例ではこのＩＤの例として食材の包装、あるいは食事メニューに記載されているバーコード情報を想定しており、個別ユーザーはモバイル端末からバーコードを読み込ませてホストコンピュータへ送信するものとしている。もちろん他の方法、たとえばモバイル端末付属のテンキーからＩＤに対応する数字を打ち込んで、これをホストコンピュータへ送信してもよい。
【００３０】
２．各食材データ：個別ユーザーが摂取した食事が、前記「１．登録済食事データ」に含まれないものであった場合、食事全体の栄養素を計算するために用いられる。栄養素の計算は後述する食物検索エンジンが行うがこの際に必要に応じて本データを参照する。
【００３１】
３．食物検索エンジン：インターネットを経由して個別ユーザーが送信してきた食事情報を解析して、栄養素を計算するプログラムである。食事情報の内容に前記「１．登録済食事データ」に登録されているＩＤが存在する場合はここから直接に食事に含まれる栄養素を計算する。ＩＤが存在しない場合はユーザーとインターネットを経由した問答をやり取りし、前記「２．各食材データ」を参照しながら栄養素を計算する。
【００３２】
身体情報管理ＤＢ２１３は下記データを保持している。
【００３３】
１．栄養データ：総カロリー，タンパク質，脂肪などの栄養素で人間１人当たり１日に必要となる量について、ＢＭＩ別（Ｂｏｄｙ  Ｍａｓｓ  Ｉｎｄｅｘ、体重（ｋｇ）÷身長（ｍ）÷身長（ｍ）によって算出する標準体重指標），基礎代謝量別，年齢別などに分類した統計的分布および既往症による補正値を記録してあるものである。個別ユーザーの理想摂取量を決定する際に本データを参照する。総カロリー量算出においては▲１▼基礎代謝量別分布▲２▼ＢＭＩ別分布▲３▼年齢別分布という順番で、ビタミン量算出においては▲１▼ＢＭＩ別分布▲２▼年齢別分布▲３▼基礎代謝量別分布というように、栄養素の種類に応じて相関関係の強い順に統計的分布データを参照して理想栄養素量を決定する。
【００３４】
２．身体数値データ：血糖値，血圧，心拍数，ＧＰＴ値など身体状態を示すデータで正常とされる数値について、ＢＭＩ別，基礎代謝量別，年齢別などに分類した統計的分布および既往症による補正値を記録してあるものである。個別ユーザーの達成目標値を決定する際に本データを参照する。「１．栄養データ」と同様に、各々に対して相関関係の強い順に統計的分布データを参照して達成目標値を決定する。
【００３５】
提供情報ＤＢ２１４は健康改善のため個別ユーザーに提供されるデータ群をもつ。これらのデータは外食産業，食品メーカー／食料店が提供する栄養状態改善のための食事メニュー、あるいは栄養補助食品の宣伝であったり、医療機関による精密検査の呼びかけであったりする。また栄養データ量の異常，身体数値データの異常など健康関連データの異常をキーとして検索できるようになっており、これらの異常があった場合に検索キーに対応する健康改善情報を取り出すことが可能である。また、各情報に対してユーザーへ情報提供した回数を管理しており、広告料徴収のための基礎データとする。
【００３６】
次に図３を使用して食事情報の処理手順を説明する。個別ユーザーからの指示により本処理を開始する。具体的には下記の２通りが個別ユーザーからの処理開始指示となる（ステップＳ３００）。
【００３７】
１．個別ユーザー／モバイル端末から送信された、食品もしくは食事メニューに付加されたバーコード情報の受信。
【００３８】
２．Ｗｅｂサーバー上のＷｅｂページに存在する「食事情報処理開始ボタン」のクリック。
【００３９】
ホストコンピュータ側では上記１．または２．の場合を判定する（ステップＳ３０１）。１．の場合はバーコード情報をキーとして、食物ＤＢの「登録済み食事データ」からこの食事情報を検索し、各食事に含まれる栄養素を算出する（ステップＳ３０２）。２．の場合はＷｅｂ画面上に「食事名は？」「量は？」などと表示し、栄養素算出のための情報をユーザーに提示させるよう誘導する。個別ユーザーはこの問いに対してモバイル端末を通じてデータの入力あるいは選択を行う（ステップＳ３０３）。ホストコンピュータではＳ３０３で入力された情報を元に食物ＤＢの「各食材データ」から個々の食材の栄養素を合計し、調理法による補正を行うことで食事に含まれる栄養素を算出する（ステップＳ３０４）。算出した栄養素データを個別ユーザー管理ＤＢの「日々データ」へ入力するとともに、最近摂取した栄養素データ（適当なケース数分）の平均値を算出する（ステップＳ３０５）。続いて身体情報管理ＤＢから得られる各人の摂取栄養素の理想値と、Ｓ３０５にて算出した栄養素データとの差分を算出し、これを個別ユーザー管理ＤＢの「目標差分値データ」に書き込む（ステップＳ３０６）。
【００４０】
次に図４を使用して身体情報の処理手順を説明する。具体的にはモバイル端末から送信された身体情報の受信が本処理の開始指示となる（ステップＳ４００）。ホストコンピュータでは送信された身体情報の種別を判定し、以後これに応じた処理を行う（ステップＳ４０１）。受信した身体情報データを個別ユーザー管理ＤＢの「日々データ」へ入力するとともに、最近摂取した身体情報データ（適当なケース数分）の平均値を算出する（ステップＳ４０２）。平均値では無く、最近に近いほど比重を高くすることもできる。続いて身体情報管理ＤＢから得られる各人の身体情報データ数値の理想値と、Ｓ４０２にて算出した身体データ数値との差分を算出し、これを個別ユーザー管理ＤＢの「目標差分値データ」に書き込む（ステップＳ４０３）。
【００４１】
最後に図５を使用して健康改善情報提供の処理手順を説明する。本処理の開始はホストコンピュータ側のプログラミングで任意に設定することができるが、本例では栄養素データの過不足に関するものでは全栄養素データをまとめて毎日１回決まった時間に、身体情報データの異常値に関するものでは（健康改善情報を提供することの緊急性が大きいことから）身体情報データが個別ユーザーから送信されてくる度に、それぞれ行うものとする（ステップＳ５００）。処理開始後、まず個人ユーザー管理ＤＢから「目標差分値データ」のうち処理すべきデータ項目を取得する（ステップＳ５０１）。次に差分値が許容量以内におさまっているかどうかを判定する（ステップＳ５０２）。おさまっていない場合、現在処理中のデータ種類をキーとして、提供情報ＤＢを検索する（ステップＳ５０３）。提供情報が見つかるとこの内容をダイレクトメイルとして生成し、個別ユーザーへ送信する（ステップＳ５０４）。なお、このメイル送信による情報提供に変わり、Ｗｅｂページを強制的に個別ユーザーの持つモバイル端末へ表示するようにしても良い。また、情報提供の際には本情報の提供回数を＋１して提供情報ＤＢへ書き戻す（ステップＳ５０５）。本データは後に、外食産業，食品メーカー／食料店，医療機関から広告料を徴収するための基礎データとなる。最後に処理すべきデータを全て処理できたことを確認すると、処理を終了する。まだ処理データが残っている場合はＳ５０１に戻り処理を継続する（ステップＳ５０６）。
【００４２】
以上の様に、ホストコンピュータが、ユーザーが所有する端末装置から送信された、摂取した食事に関する食事情報及び身体情報を電気通信回線を介して受信し、受信した食事情報，受信した身体情報及び身体情報に対応する時刻情報を元に健康改善に資する健康改善情報を端末装置へ送信することにより、ユーザーの身体情報を考慮した健康改善のための情報を提供することができる。
【００４３】
また、ユーザーの身体に埋め込んだ身体情報測定器からの身体情報を用いることにより、特に糖尿病や心臓／肝臓／腎臓などの内臓疾患を抱える人々にとっては、時々刻々の身体状態を考慮した上で食事や運動に関する健康改善のための情報が与えることができる。そして、手入力と比較して、入力すべきデータが最新のものであるか、ユーザーの状態を正しく反映しているかなどの客観的な信頼性が高く、個別のユーザーが必要とするデータをタイムリーに提供できる。
【００４４】
【発明の効果】
以上説明したように本発明により、ユーザーの摂取栄養と時々刻々の身体状態とを考慮した上で、ユーザーに対して健康改善の指針を提示できる健康管理システムを提供することができる。
【図面の簡単な説明】
【図１】本システムの基本構成。
【図２】ホストコンピュータとデータベース。
【図３】食事情報の処理フロー。
【図４】身体情報の処理フロー。
【図５】健康改善情報提供の処理フロー。
【図６】本システムでのビジネスモデル。
【符号の説明】
１１１…モバイル端末、１２０…簡易血圧計、１２１…簡易心拍数計、１２２…身体に埋め込む形式の血糖値計、１３０…ホストコンピュータ、１４０…病院／医療機関、１４１…食料品店、１４２…外食産業。
【図１】
2004185250.tif 000003
【図２】
2004185250.tif 000004
【図３】
2004185250.tif 000005
【図４】
2004185250.tif 000006
【図５】
2004185250.tif 000007
【図６】
2004185250.tif 000008